(57)【要約】【課題】本発明は、プラズマディスプレイ装置に関し、より詳細にはエネルギー回収回路を含むプラズマディスプレイ装置を提供する。【解決手段】本発明のプラズマディスプレイ装置は、電極を含むプラズマディスプレイパネルと、第１電圧に該当するエネルギーを供給し回収するエネルギー供給回収部と、前記エネルギー供給回収部によって供給された前記第１電圧に該当するエネルギーを第１インダクタンスを有する供給経路で電極ＥＬＤに供給し、前記第１電圧に該当するエネルギーが第２インダクタンスを有する回収経路で前記電極から前記エネルギー供給回収部に回収されるようにするエネルギー供給回収制御部と、前記第１電圧に該当するエネルギーが前記電極に供給された後、第２電圧を前記電極に印加し、前記第１電圧に該当するエネルギーが前記電極から回収された後、第３電圧を前記電極に印加する電圧印加部と、第４電圧を分圧して前記第１電圧を一定に維持する電圧維持部とを含む。【選択図】図７
2006079091.tif 000002
【特許請求の範囲】
【請求項１】
電極を含むプラズマディスプレイパネルと、
第１電圧に該当するエネルギーを供給し回収するエネルギー供給回収部と、
前記エネルギー供給回収部によって供給された前記第１電圧に該当するエネルギーを第１インダクタンスを有する供給経路で電極に供給し、前記第１電圧に該当するエネルギーが第２インダクタンスを有する回収経路で前記電極から前記エネルギー供給回収部に回収されるようにするエネルギー供給回収制御部と、
前記第１電圧に該当するエネルギーが前記電極に供給された後、第２電圧を前記電極に印加し、前記第１電圧に該当するエネルギーが前記電極から回収された後、第３電圧を前記電極に印加する電圧印加部と、
第４電圧を分圧して前記第１電圧を一定に維持する電圧維持部と、
を含むことを特徴とするプラズマディスプレイ装置。
【請求項２】
前記エネルギー供給回収制御部は、
前記エネルギー供給回収部によって供給された前記第１電圧に該当するエネルギーを第１インダクタンスを有する供給経路で前記電極に供給し、前記第１電圧に該当するエネルギーが前記第１インダクタンスより大きい第２インダクタンスを有する回収経路で前記電極から前記エネルギー供給回収部に回収されるようにすることを特徴とする、請求項１に記載のプラズマディスプレイ装置。
【請求項３】
前記電圧維持部は、
前記第４電圧を分圧して前記第１電圧を前記エネルギー供給回収部に印加する電圧調節用キャパシターを含むことを特徴とする、請求項１に記載のプラズマディスプレイ装置。
【請求項４】
前記エネルギー供給回収部は供給回収用キャパシターを含み、前記電圧維持部は電圧調節用キャパシターを含み、
前記電圧調節用キャパシターの一端は前記第４電圧の印加を受け、前記電圧調節用キャパシターの他端は前記供給回収用キャパシターの一端と連結されることを特徴とする、請求項１に記載のプラズマディスプレイ装置。
【請求項５】
前記電圧調節用キャパシターは、
前記供給回収用キャパシターのキャパシタンスと同一のキャパシタンスを有することを特徴とする、請求項４に記載のプラズマディスプレイ装置。
【請求項６】
前記エネルギー供給回収制御部は、
前記エネルギー供給回収部に格納されていたエネルギーを前記プラズマディスプレイパネルに供給するための経路を形成するエネルギー供給制御部と、前記エネルギー供給回収部にプラズマディスプレイパネルからエネルギーを回収するための経路を形成するエネルギー回収制御部と、前記エネルギー供給制御部を通じて入力されたエネルギーが流れる第１インダクタンスを有した第１インダクターと前記エネルギー回収制御部に入力されるエネルギーが流れる第２インダクタンスを有した第２インダクターを含むインダクター部とを含むことを特徴とする、請求項１に記載のプラズマディスプレイ装置。
【請求項７】
前記エネルギー供給回収制御部は、
前記エネルギー供給回収部に格納されていたエネルギーを前記プラズマディスプレイパネルに供給するための経路を形成するエネルギー供給制御部と、前記エネルギー供給回収部にプラズマディスプレイパネルからエネルギーを回収するための経路を形成するエネルギー回収制御部と、前記エネルギー供給制御部を通じて入力されたエネルギーが流れる第４インダクタンスを有した第４インダクターと前記エネルギー回収制御部に入力されたエネルギーを前記第４インダクターに流す第３インダクタンスを有した第３インダクターを含むインダクター部とを含むことを特徴とする、請求項１に記載のプラズマディスプレイ装置。
【請求項８】
前記第２電圧及び前記第４電圧は、サステイン放電を維持することができるサステイン電圧であって、
前記第１電圧は、前記サステイン電圧の０.５倍に該当する電圧であることを特徴とする、請求項１に記載のプラズマディスプレイ装置。
【請求項９】
電極を含むプラズマディスプレイパネルと、
第１電圧に該当するエネルギーを供給し回収するエネルギー供給回収部と、
前記エネルギー供給回収部によって供給された前記第１電圧に該当するエネルギーを第１インダクタンスを有する供給経路で電極に供給し、前記第１電圧に該当するエネルギーが第２インダクタンスを有する回収経路で前記電極から前記エネルギー供給回収部に回収されるようにするエネルギー供給回収制御部と、
前記第１電圧に該当するエネルギーが前記電極に供給された後、第２電圧を前記電極に印加し、前記第１電圧に該当するエネルギーが前記電極から回収された後、第３電圧を前記電極に印加する電圧印加部と、
第４電圧を分圧して前記第１電圧を前記エネルギー供給回収部に印加する電圧調節用キャパシターを含む電圧維持部と、
を含むことを特徴とするプラズマディスプレイ装置。
【請求項１０】
前記エネルギー供給回収制御部は、
前記エネルギー供給回収部によって供給された前記第１電圧に該当するエネルギーを第１インダクタンスを有する供給経路で前記電極に供給し、前記第１電圧に該当するエネルギーが前記第１インダクタンスより大きい第２インダクタンスを有する回収経路で前記電極から前記エネルギー供給回収部に回収されるようにすることを特徴とする、請求項９に記載のプラズマディスプレイ装置。
【請求項１１】
前記エネルギー供給回収部は供給回収用キャパシターを含み、
前記電圧調節用キャパシターの一端は前記第４電圧の印加を受け、前記電圧調節用キャパシターの他端は前記供給回収用キャパシターの一端と連結されることを特徴とする、請求項９に記載のプラズマディスプレイ装置。
【請求項１２】
前記電圧調節用キャパシターは、
前記供給回収用キャパシターのキャパシタンスと同一のキャパシタンスを有することを特徴とする、請求項１１に記載のプラズマディスプレイ装置。
【請求項１３】
前記エネルギー供給回収制御部は、
前記エネルギー供給回収部に格納されていたエネルギーを前記プラズマディスプレイパネルに供給するための経路を形成するエネルギー供給制御部と、前記エネルギー供給回収部にプラズマディスプレイパネルからエネルギーを回収するための経路を形成するエネルギー回収制御部と、前記エネルギー供給制御部を通じて入力されたエネルギーが流れる第１インダクタンスを有した第１インダクターと前記エネルギー回収制御部に入力されるエネルギーが流れる第２インダクタンスを有した第２インダクターを含むインダクター部とを含むことを特徴とする、請求項９に記載のプラズマディスプレイ装置。
【請求項１４】
前記エネルギー供給回収制御部は、
前記エネルギー供給回収部に格納されていたエネルギーを前記プラズマディスプレイパネルに供給するための経路を形成するエネルギー供給制御部と、前記エネルギー供給回収部にプラズマディスプレイパネルからエネルギーを回収するための経路を形成するエネルギー回収制御部と、前記エネルギー供給制御部を通じて入力されたエネルギーが流れる第４インダクタンスを有した第４インダクターと前記エネルギー回収制御部に入力されたエネルギーを前記第４インダクターに流す第３インダクタンスを有した第３インダクターを含むインダクター部とを含むことを特徴とする、請求項９に記載のプラズマディスプレイ装置。
【請求項１５】
前記第２電圧及び前記第４電圧は、サステイン放電を維持することができるサステイン電圧であって、
前記第１電圧は、前記サステイン電圧の０.５倍に該当する電圧であることを特徴とする、請求項９に記載のプラズマディスプレイ装置。
【請求項１６】
電極を含むプラズマディスプレイパネルの駆動装置において、
第１電圧に該当するエネルギーを供給し回収するエネルギー供給回収部と、
前記エネルギー供給回収部によって供給された前記第１電圧に該当するエネルギーを第１インダクタンスを有する供給経路を通じて前記電極に供給し、前記第１電圧に該当するエネルギーが第２インダクタンスを有する回収経路を通じて前記電極から前記エネルギー供給回収部に回収されるようにするエネルギー供給回収制御部と、
前記第１電圧に該当するエネルギーが前記電極に供給された後、第２電圧を前記電極に印加し、前記第１電圧に該当するエネルギーが前記電極から回収された後、第３電圧を前記電極に印加する電圧印加部と、
第４電圧を分配して前記第１電圧を一定に維持する電圧維持部と、
を含むことを特徴とするプラズマディスプレイパネルの駆動装置。
【請求項１７】
前記電圧維持部は、
前記第４電圧を分圧して前記第１電圧を前記エネルギー供給回収部に印加する電圧調節用キャパシターを含むことを特徴とする、請求項１６に記載のプラズマディスプレイパネルの駆動装置。
【請求項１８】
前記エネルギー供給回収部は供給回収用キャパシターを含み、前記電圧維持部は電圧調節用キャパシターを含み、
前記電圧調節用キャパシターの一端は前記第４電圧の印加を受け、前記電圧調節用キャパシターの他端は前記供給回収用キャパシターの一端と連結されることを特徴とする、請求項１６に記載のプラズマディスプレイパネルの駆動装置。
【請求項１９】
前記電圧調節用キャパシターは、
前記供給回収用キャパシターのキャパシタンスと同一のキャパシタンスを有することを特徴とする、請求項１８に記載のプラズマディスプレイパネルの駆動装置。
【請求項２０】
前記第２電圧及び前記第４電圧は、サステイン放電を維持することができるサステイン電圧であって、
前記第１電圧は、前記サステイン電圧の０.５倍に該当する電圧であることを特徴とする、請求項１６に記載のプラズマディスプレイパネルの駆動装置。
【請求項２１】
第１電極を含むプラズマディスプレイパネルの駆動方法であって、
エネルギー供給回収部によって前記第１電極に第１電圧に該当するエネルギーを供給するステップと、
前記第１電極に前記第１電極が供給された後に、第１電圧印加部によって前記第１電極に第２電圧を供給するステップと、
前記エネルギー供給回収部によって前記第１電極から前記第１電圧に該当するエネルギーを回収するステップと、
前記第１電極から前記第１電圧に該当するエネルギーを回収した後に、第２電圧印加部によって前記第１電極に第３電圧を供給するステップと、
第４電圧を分配して前記エネルギー回収部の前記第１電圧を一定に維持するステップと、を含むプラズマディスプレイパネルの駆動方法。
【請求項２２】
第１電極を含むプラズマディスプレイパネルの駆動方法であって、
エネルギー供給回収部によって前記第１電極に第１電圧に該当するエネルギーを供給するステップと、
前記第１電極に前記第１電極が供給された後に、第１電圧印加部によって前記第１電極に第２電圧を供給するステップと、
前記エネルギー供給回収部によって前記第１電極から前記第１電圧に該当するエネルギーを回収するステップと、
前記第１電極から前記第１電圧に該当するエネルギーを回収した後に、第２電圧印加部によって前記第１電極に第３電圧を供給するステップと、
電圧調整用キャパシタを用いて第４電圧を分配して前記第１電圧を前記エネルギー回収部に印加するステップと、
を含むプラズマディスプレイパネルの駆動方法。
【発明の詳細な説明】
【技術分野】
【０００１】
本発明はプラズマディスプレイ装置に関し、より詳細にはエネルギー回収回路を含むプラズマディスプレイ装置に関する。
【背景技術】
【０００２】
図１は、従来のプラズマディスプレイパネルの画像階調を表現する方法を示した図である。図１に示されたように、プラズマディスプレイパネルの画像階調は一フレームを発光回数が異なる複数のサブフィールドに分けて駆動している。各サブフィールドは放電を均一に起こすためのリセット区間と、放電セルを選択するためのアドレス区間と、放電回数によって階調を具現するサステイン区間とに分けられる。例えば、２５６階調で画像を表示しようとする場合に１／６０秒に該当するフレーム区間（１６.６７ｍｓ）は８個のサブフィールドに分けられる。同時に、８個のサブフィールドのそれぞれは、リセット期間、アドレス区間とサステイン区間にさらに分けられる。ここで、各サブフィールドのリセット区間及びアドレス区間は、各サブフィールド毎に同一である反面、サステイン区間は各サブフィールドにおいて２ｎ（ｎ＝０、１、２、３、４、５、６、７）の割合で増加される。
【０００３】
一方、プラズマディスプレイパネルを駆動するための駆動装置は、サステイン期間に選択されたセルの放電を維持するために交番されたサステイン電圧ＶｓをＹ電極及びＺ電極に印加する駆動装置を含む。
【０００４】
このようなプラズマディスプレイパネルの駆動装置は、Ｙ電極駆動部とＺ電極駆動部にそれぞれ含まれ、それぞれの駆動部に含まれたプラズマディスプレイパネルの駆動装置は、図３のようである。
【０００５】
図２は、従来のプラズマディスプレイパネルの駆動装置の構成を示した図である。図３は、従来のエネルギー回収回路によって形成されるパルスの波形図である。図２及び図３に示されたように、従来のプラズマディスプレイパネルの駆動装置は、パネル内において不必要に発生されるエネルギー、即ち、無効電力を回収するためにエネルギー回収回路を使用している。
【０００６】
先ず、第１状態ｓｔａｔｅ１では第１スイッチＱ１がターンオンされ、第２乃至第４スイッチＱ２、Ｑ３、Ｑ４はターンオフされる。これにより、キャパシターＣｓｓに格納されていたエネルギーがＬＣ共振によってパネルＣｐに供給されながらＶｐが上昇する。第１状態では、図３に示されたように、インダクター（ｉｎｄｕｃｔｏｒ、Ｌ）に流れる電流がキャパシターＣｓｓからパネルＣｐの方へエネルギーが供給されているため、＋ＩＬになる。
【０００７】
第２状態ｓｔａｔｅ２では第１スイッチＱ１と第２スイッチＱ２がターンオンされ、第３スイッチＱ３と第４スイッチＱ４はターンオフされる。これにより、Ｖｐはサステイン電圧Ｖｓになる。第１状態ｓｔａｔｅ１が終わる瞬間、即ち、ｔ１でＬＣ共振によってＶｐが最大値Ｖｓになる瞬間にパネルＣｐにサステイン電圧Ｖｓが印加される。ここで、サステイン電圧Ｖｓは放電セルの放電を維持するための電圧を意味するものである。
【０００８】
以後、第３状態ｓｔａｔｅ３では第３スイッチＱ３がターンオンされ、第１スイッチ、第２スイッチ及び第４スイッチＱ１、Ｑ２、Ｑ４はターンオフされる。これにより、パネルＣｐに格納されていたエネルギーがＬＣ共振によってキャパシターＣｓｓに放電しながらエネルギーが回収され、Ｖｐは降下する。第３状態ではパネルＣｐからキャパシターＣｓｓに電流が流れるため、図３に示されたように、インダクターＬに流れる電流は−ＩＬになる。
【０００９】
最後に、第４状態ｓｔａｔｅ４では第３スイッチＱ３と第４スイッチＱ４がターンオンされ、第１スイッチ及び第２スイッチＱ１、Ｑ２はターンオフされる。これによってＶｐはグラウンドレベルになる。第３状態ｓｔａｔｅ３が終わる瞬間、即ち、ｔ２でＶｐはグラウンドレベル（ｇｒｏｕｎｄ ｌｅｖｅｌ）で維持される。
【００１０】
このように動作される従来のプラズマディスプレイパネルの駆動装置に含まれたエネルギー回収回路は、前述したように、エネルギー回収と供給のために一つのインダクターＬのみを使用するようになり、このような従来エネルギー回収回路はインダクターＬによって駆動効率が異なって現われる。
【００１１】
即ち、インダクターＬのインダクタンス（ｉｎｄｕｃｔａｎｃｅ）が大きいと、消費電力が減少するため、エネルギー回収回路の駆動効率は高くなるが、一方、サステインパルスの電圧上昇が緩やかになり、強い放電が発生しにくくなって放電効率が落ちる問題点がある。
【００１２】
このような問題点を解決するために、従来にはエネルギーがパネルＣｐに供給される期間ＥＲ−ｕｐには相対的に小さいインダクタンスを有するインダクターを通じてエネルギーが供給されるようにし、エネルギーがキャパシターＣｓｓに回収される期間ＥＲ−ｄｏｗｎには相対的に大きいインダクタンスを有するインダクターを通じてエネルギーが回収されるようにする。
【００１３】
図４は、従来のエネルギー回収回路の他の一例である。図４に示されたように、従来のエネルギー回収回路は、第１スイッチＱ１、第１ダイオードＤ１、第１インダクターＬ１を順に経る供給経路でキャパシターＣｓｓからパネルＣｐにエネルギーを供給する。
【００１４】
又、従来のエネルギー回収回路は、第２インダクターＬ２、第２ダイオードＤ２、第３スイッチＱ３を順に経る回収経路でパネルＣｐからキャパシターＣｓｓにエネルギーが回収されるようにする構造である。ここで第１インダクターＬ１のインダクタンスは第２インダクターＬ２のインダクタンスより小さい。
【００１５】
従来のエネルギー回収回路ではキャパシターＣｓｓのエネルギーが相対的に小さいインダクタンスを有する第１インダクターＬ１を通じてパネルＣｐに供給されるため、電圧上昇を速くして相対的にさらに強い放電を発生させて放電効率を改善する。又、従来のエネルギー回収回路ではパネルＣｐのエネルギーが相対的に大きいインダクタンスを有する第２インダクターＬ２を通じてキャパシターＣｓｓに回収されるため、消費電力が減少する。
【００１６】
図５は、従来のエネルギー回収回路の他の一例である。図５に示されたように、従来のエネルギー回収回路は第１スイッチＱ１、第１ダイオードＤ１、第１インダクターＬ１´を順に経る供給経路でキャパシターＣｓｓからパネルＣｐにエネルギーが供給されるようにする。又、従来のエネルギー回収回路は第１インダクターＬ１´、第２インダクターＬ２´、第２ダイオードＤ２、第３スイッチＱ３を順に経る回収経路でパネルＣｐからキャパシターＣｓｓにエネルギーを回収する。
【００１７】
ここでは、キャパシターＣｓｓのエネルギーが第１インダクターＬ１´のみを通じてパネルＣｐに供給されるため、即ち、エネルギー供給経路に相対的に小さいインダクタンスが生成されて電圧上昇を速くして相対的にさらに強い放電を発生させて放電効率を改善する。又、パネルＣｐのエネルギーが第１インダクターＬ１´及び第２インダクターＬ２´を通じてキャパシターＣｓｓに回収されるため、即ち、エネルギー回収経路に相対的に大きいインダクタンスが生成されるため、消費電力が減少する。
【００１８】
しかし、このようなエネルギー回収経路にエネルギー供給経路よりさらに大きいインダクタンスを位置させて放電効率を高める構造では、エネルギー供給及びエネルギー回収のスイチング時間が相互に異なり、又、各エネルギー供給経路及びエネルギー回収経路のインダクタンスが相互に異なるため、エネルギー供給動作とエネルギー回収動作の不均衡を発生させる。
【００１９】
図６は、図４及び図５に示された従来のエネルギー回収回路によって形成されるパルスの波形図である。図６に示されたように、従来のエネルギー回収回路は、エネルギー供給及びエネルギー回収のスイチング時間が相互に異なり、又、エネルギー供給経路及びエネルギー回収経路のインダクタンスが相互に異なるため、時間が経つほどキャパシターＣｓｓに格納されるエネルギーの電圧ＶｃｓｓがＶｓ／２よりさらに小くなる。
【００２０】
即ち、エネルギー供給過程ではエネルギー回収過程に比べて相対的に小さいインダクタンスを通じて行われるため、第１インダクターＬ１、Ｌ１´が飽和されてキャパシターＣｓｓの電荷（Ｃｈａｒｇｅ）が損失される可能性がある。又、エネルギー回収過程ではエネルギー供給過程に比べて相対的に大きいインダクタンスを通じて行われるため、図４の第２インダクターＬ２、又は、図５の第１インダクターＬ１´と第２インダクターＬ２´に格納されるエネルギーが相対的に増加してキャパシターＣｓｓに静電容量より少ない量の電荷のみがキャパシターＣｓｓに回収される可能性がある。よって、パネルＣｐに供給されるエネルギーの電圧が不安定になって駆動が不安定になる問題点があった。
【発明の開示】
【発明が解決しようとする課題】
【００２１】
本発明は、プラズマディスプレイ装置に関し、より詳細にエネルギー回収回路を含むプラズマディスプレイ装置を提供する。
【課題を解決するための手段】
【００２２】
本発明のプラズマディスプレイ装置は、電極を含むプラズマディスプレイパネルと、第１電圧に該当するエネルギーを供給し回収するエネルギー供給回収部と、前記エネルギー供給回収部によって供給された前記第１電圧に該当するエネルギーを第１インダクタンスを有する供給経路で電極ＥＬＤに供給し、前記第１電圧に該当するエネルギーが第２インダクタンスを有する回収経路で前記電極から前記エネルギー供給回収部に回収されるようにするエネルギー供給回収制御部と、前記第１電圧に該当するエネルギーが前記電極に供給された後、第２電圧を前記電極に印加し、前記第１電圧に該当するエネルギーが前記電極から回収された後、第３電圧を前記電極に印加する電圧印加部と、第４電圧を分圧して前記第１電圧を一定に維持する電圧維持部とを含む。
【００２３】
前記エネルギー供給回収制御部は、前記エネルギー供給回収部によって供給された前記第１電圧に該当するエネルギーを第１インダクタンスを有する供給経路で前記電極に供給し、前記第１電圧に該当するエネルギーが前記第１インダクタンスより大きい第２インダクタンスを有する回収経路で前記電極から前記エネルギー供給回収部に回収されるようにすることを特徴とする。
【００２４】
前記電圧維持部は、前記第４電圧を分圧して前記第１電圧を前記エネルギー供給回収部に印加する電圧調節用キャパシターを含むことを特徴とする。
【００２５】
前記エネルギー供給回収部は供給回収用キャパシターを含み、前記電圧維持部は電圧調節用キャパシターを含み、前記電圧調節用キャパシターの一端は前記第４電圧の印加を受け、前記電圧調節用キャパシターの他端は前記供給回収用キャパシターの一端と連結されることを特徴とする。
【００２６】
前記電圧調節用キャパシターは、前記供給回収用キャパシターのキャパシタンスと同一のキャパシタンスを有することを特徴とする。
【００２７】
前記エネルギー供給回収制御部は、前記エネルギー供給回収部に格納されていたエネルギーを前記プラズマディスプレイパネルに供給するための経路を形成するエネルギー供給制御部と、前記エネルギー供給回収部にプラズマディスプレイパネルからエネルギーを回収するための経路を形成するエネルギー回収制御部と、前記エネルギー供給制御部を通じて入力されたエネルギーが流れる第１インダクタンスを有した第１インダクターと前記エネルギー回収制御部に入力されるエネルギーが流れる第２インダクタンスを有した第２インダクターを含むインダクター部とを含むことを特徴とする。
【００２８】
前記エネルギー供給回収制御部は、前記エネルギー供給回収部に格納されていたエネルギーを前記プラズマディスプレイパネルに供給するための経路を形成するエネルギー供給制御部と、前記エネルギー供給回収部にプラズマディスプレイパネルからエネルギーを回収するための経路を形成するエネルギー回収制御部と、前記エネルギー供給制御部を通じて入力されたエネルギーが流れる第４インダクタンスを有した第４インダクターと前記エネルギー回収制御部に入力されたエネルギーを前記第４インダクターに流す第３インダクタンスを有した第３インダクターを含むインダクター部とを含むことを特徴とする。
【００２９】
前記第２電圧及び前記第４電圧は、サステイン放電を維持することができるサステイン電圧であって、前記第１電圧は、前記サステイン電圧の０.５倍に該当する電圧であることを特徴とする。
【００３０】
本発明におけるプラズマディスプレイ装置は、電極を含むプラズマディスプレイパネルと、第１電圧に該当するエネルギーを供給し回収するエネルギー供給回収部と、前記エネルギー供給回収部によって供給された前記第１電圧に該当するエネルギーを第１インダクタンスを有する供給経路で電極ＥＬＤに供給し、前記第１電圧に該当するエネルギーが第２インダクタンスを有する回収経路で前記電極から前記エネルギー供給回収部に回収されるようにするエネルギー供給回収制御部と、前記第１電圧に該当するエネルギーが前記電極に供給された後、第２電圧を前記電極に印加し、前記第１電圧に該当するエネルギーが前記電極から回収された後、第３電圧を前記電極に印加する電圧印加部と、第４電圧を分圧して前記第１電圧を前記エネルギー供給回収部に印加する電圧調節用キャパシターを含む電圧維持部とを含む。
【００３１】
前記エネルギー供給回収制御部は、前記エネルギー供給回収部によって供給された前記第１電圧に該当するエネルギーを第１インダクタンスを有する供給経路で前記電極に供給し、前記第１電圧に該当するエネルギーが前記第１インダクタンスより大きい第２インダクタンスを有する回収経路で前記電極から前記エネルギー供給回収部に回収されるようにすることを特徴とする。
【００３２】
前記エネルギー供給回収部は供給回収用キャパシターを含み、前記電圧調節用キャパシターの一端は前記第４電圧の印加を受け、前記電圧調節用キャパシターの他端は前記供給回収用キャパシターの一端と連結されることを特徴とする。
【００３３】
前記電圧調節用キャパシターは、前記供給回収用キャパシターのキャパシタンスと同一のキャパシタンスを有することを特徴とする。
【００３４】
前記エネルギー供給回収制御部は、前記エネルギー供給回収部に格納されていたエネルギーを前記プラズマディスプレイパネルに供給するための経路を形成するエネルギー供給制御部と、前記エネルギー供給回収部にプラズマディスプレイパネルからエネルギーを回収するための経路を形成するエネルギー回収制御部と、前記エネルギー供給制御部を通じて入力されたエネルギーが流れる第１インダクタンスを有した第１インダクターと前記エネルギー回収制御部に入力されるエネルギーが流れる第２インダクタンスを有した第２インダクターを含むインダクター部とを含むことを特徴とする。
【００３５】
前記エネルギー供給回収制御部は、前記エネルギー供給回収部に格納されていたエネルギーを前記プラズマディスプレイパネルに供給するための経路を形成するエネルギー供給制御部と、前記エネルギー供給回収部にプラズマディスプレイパネルからエネルギーを回収するための経路を形成するエネルギー回収制御部及び前記エネルギー供給制御部を通じて入力されたエネルギーが流れる第４インダクタンスを有した第４インダクターと前記エネルギー回収制御部に入力されたエネルギーを前記第４インダクターに流す第３インダクタンスを有した第３インダクターを含むインダクター部とを含むことを特徴とする。
【００３６】
前記第２電圧及び前記第４電圧は、サステイン放電を維持することができるサステイン電圧であって、前記第１電圧は、前記サステイン電圧の０.５倍に該当する電圧であることを特徴とする。
【００３７】
本発明のプラズマディスプレイパネルの駆動装置は、第１電圧に該当するエネルギーを供給し回収するエネルギー供給回収部と、前記エネルギー供給回収部によって供給された前記第１電圧に該当するエネルギーを第１インダクタンスを有する供給経路を通じて前記電極に供給し、前記第１電圧に該当するエネルギーが第２インダクタンスを有する回収経路を通じて前記電極から前記エネルギー供給回収部に回収されるようにするエネルギー供給回収制御部と、前記第１電圧に該当するエネルギーが前記電極に供給された後、第２電圧を前記電極に印加し、前記第１電圧に該当するエネルギーが前記電極から回収された後、第３電圧を前記電極に印加する電圧印加部と、第４電圧を分配して前記第１電圧を一定に維持する電圧維持部とを含む。
【００３８】
前記電圧維持部は、前記第４電圧を分圧して前記第１電圧を前記エネルギー供給回収部に印加する電圧調節用キャパシターを含むことを特徴とする。
【００３９】
前記エネルギー供給回収部は供給回収用キャパシターを含み、前記電圧維持部は電圧調節用キャパシターを含み、前記電圧調節用キャパシターの一端は前記第４電圧の印加を受け、前記電圧調節用キャパシターの他端は前記供給回収用キャパシターの一端と連結されることを特徴とする。
【００４０】
前記電圧調節用キャパシターは、前記供給回収用キャパシターのキャパシタンスと同一のキャパシタンスを有することを特徴とする。
【００４１】
前記第２電圧及び前記第４電圧は、サステイン放電を維持することができるサステイン電圧であって、前記第１電圧は前記サステイン電圧の０.５倍に該当する電圧であることを特徴とする。
本発明のプラズマディスプレイパネルの駆動方法は、第１電極を含むプラズマディスプレイパネルの駆動方法であって、エネルギー供給回収部によって前記第１電極に第１電圧に該当するエネルギーを供給するステップと、前記第１電極に前記第１電極が供給された後に、第１電圧印加部によって前記第１電極に第２電圧を供給するステップと、前記エネルギー供給回収部によって前記第１電極から前記第１電圧に該当するエネルギーを回収するステップと、前記第１電極から前記第１電圧に該当するエネルギーを回収した後に、第２電圧印加部によって前記第１電極に第３電圧を供給するステップと、第４電圧を分配して前記エネルギー回収部の前記第１電圧を一定に維持するステップと、を含む。
本発明のプラズマディスプレイパネルの駆動方法は、第１電極を含むプラズマディスプレイパネルの駆動方法であって、エネルギー供給回収部によって前記第１電極に第１電圧に該当するエネルギーを供給するステップと、前記第１電極に前記第１電極が供給された後に、第１電圧印加部によって前記第１電極に第２電圧を供給するステップと、前記エネルギー供給回収部によって前記第１電極から前記第１電圧に該当するエネルギーを回収するステップと、前記第１電極から前記第１電圧に該当するエネルギーを回収した後に、第２電圧印加部によって前記第１電極に第３電圧を供給するステップと、電圧調整用キャパシタを用いて第４電圧を分配して前記第１電圧を前記エネルギー回収部に印加するステップと、を含む。
【発明の効果】
【００４２】
本発明は、エネルギー供給回収部に格納されるエネルギーを一定に維持することで駆動安全性を確保することができる。
【発明を実施するための最良の形態】
【００４３】
以下では、本発明における具体的な実施形態を添付された図面を参照して説明する。
【００４４】
＜実施形態１＞
図７は、本発明の第１実施形態におけるプラズマディスプレイ装置の回路図である。図７に示されたように、本発明の第１実施形態におけるプラズマディスプレイ装置は、プラズマディスプレイパネルＣｐと、エネルギー供給回収部７０と、エネルギー供給回収制御部８０と、電圧印加部９０と、電圧維持部１００とを含む。
【００４５】
プラズマディスプレイパネルＣｐは電極ＥＬＤを含む。
【００４６】
エネルギー供給回収部７０は、第１電圧Ｖ１に該当するエネルギーを供給し回収する。このとき、第１電圧Ｖ１は、プラズマディスプレイパネルの放電を維持するためのサステイン電圧Ｖｓの０.５倍に該当する電圧が望ましい。エネルギー供給回収部７０は、サステイン放電に必要なエネルギーが格納された供給回収用キャパシターＣｓｓを含む。
【００４７】
エネルギー供給回収制御部８０は、エネルギー供給回収部７０によって供給された第１電圧に該当するエネルギーを第１インダクタンスを有する供給経路で共振を通じて電極ＥＬＤに供給し、第１電圧に該当するエネルギーが第２インダクタンスを有する回収経路で共振を通じて電極ＥＬＤからエネルギー供給回収部７０に回収されるようにする。
【００４８】
このようなエネルギー供給回収制御部８０は、エネルギー供給制御部８１と、エネルギー回収制御部８３と、インダクター部８５とを含む。
【００４９】
エネルギー供給制御部８１は、第１スイッチＱ１と第１ダイオードＤ１とを含む。第１スイッチＱ１はターンオン（Ｔｕｒｎ ｏｎ）され、エネルギー供給回収部７０の供給回収用キャパシターＣｓｓに格納されていたエネルギーをパネルＣｐに供給するための経路を形成する。このような第１スイッチＱ１の一端は、供給回収用キャパシターＣｓｓの一端と連結される。第１ダイオードＤ１は、パネルＣｐから第１スイッチＱ１を経由して供給回収用キャパシターＣｓｓの方へ流れる逆電流を遮断する。このような第１ダイオードＤ１のアノード端は第１スイッチＱ１の他端と連結される。
【００５０】
エネルギー回収制御部８３は、第３スイッチＱ３と第２ダイオードＤ２とを含む。第３スイッチＱ３はターンオン（Ｔｕｒｎ ｏｎ）され、エネルギー供給回収部７０の供給回収用キャパシターＣｓｓにパネルＣｐからエネルギーを回収するための経路を形成する。このような第３スイッチＱ３の一端は供給回収用キャパシターＣｓｓの一端及び第１スイッチＱ１の一端と共通で連結される。第２ダイオードＤ２は、供給回収用キャパシターＣｓｓから第３スイッチＱ３を経由してパネルＣｐの方へ流れる逆電流を遮断する。このような第２ダイオードＤ２のカソ−ド端は第３スイッチＱ３の他端と連結される。
【００５１】
インダクター部８５は、パネルＣｐと直列ＬＣ共振回路を構成し、エネルギー供給制御部８１を通じて入力されたエネルギーが流れる第１インダクタンスを有した第１インダクターＬ１とエネルギー回収制御部８３に入力されるエネルギーが流れる第２インダクタンスを有した第２インダクターＬ２とを含む。このとき、第１インダクタンスは第２インダクタンスより小さい。第１インダクターＬ１の一端は第１ダイオードＤ１のカソード端と連結され、第１インダクターＬ１の他端はパネルＣｐの電極ＥＬＤと連結される。又、第２インダクターＬ２の一端は第２ダイオードＤ２のアノード端と連結され、第２インダクターＬ２の他端はパネルＣｐの電極ＥＬＤと連結される。
【００５２】
電圧印加部９０は、第１電圧Ｖ１に該当するエネルギーが共振を通じて電極ＥＬＤに供給された後、Ｖ１より大きい第２電圧Ｖ２を電極ＥＬＤに印加し、第１電圧Ｖ１に該当するエネルギーが共振を通じて電極ＥＬＤから回収された後、Ｖ１より小さい第３電圧Ｖ３を前記電極に印加する。このとき、第２電圧Ｖ２はサステイン電圧Ｖｓが望ましく、第３電圧Ｖ３はグラウンドレベルの電圧が望ましい。このような電圧印加部９０は第２スイッチＱ２のターンオンによって第２電圧Ｖ２を電極ＥＬＤに印加し、第４スイッチＱ４のターンオンによって第３電圧Ｖ３を電極ＥＬＤに印加する。
【００５３】
電圧維持部１００は、第４電圧Ｖ４を分配して第１電圧Ｖ１を一定に維持する。電圧維持部１００は電圧調節用キャパシターＣｓｓ´を含む。電圧調節用キャパシターＣｓｓ´の一端は第４電圧Ｖ４の印加を受け、電圧調節用キャパシターＣｓｓ´の他端はエネルギー供給回収部７０の供給回収用キャパシターＣｓｓの一端と連結される。これによって、電圧調節用キャパシターＣｓｓ´と供給回収用キャパシターＣｓｓは直列に連結されて第４電圧Ｖ４を分圧する。第４電圧がサステイン電圧Ｖｓの場合供給回収用キャパシターＣｓｓにサステイン電圧の０.５倍に該当する電圧が印加されるようにするために、電圧調節用キャパシターＣｓｓ´は供給回収用キャパシターＣｓｓと同一のキャパシタンスを有する。
【００５４】
このような本発明の第１実施形態の動作は次のようである。
【００５５】
エネルギー供給段階では第１スイッチＱ１がターンオンされ、残りの第２スイッチ乃至第４スイッチＱ２、Ｑ３、Ｑ４は、全てターンオフされる。よって、供給回収用キャパシターＣｓｓに格納されていたエネルギーがパネルＣｐに供給される。エネルギーが供給される経路は、供給回収用キャパシターＣｓｓから第１スイッチＱ１−第１ダイオードＤ１−インダクター部８５の第１インダクターＬ１−パネルＣｐでなる。
【００５６】
サステイン電圧維持段階では第１スイッチＱ１及び第２スイッチＱ２がターンオンされ、残りの第３スイッチＱ３及び第４スイッチＱ４はターンオフされる。これによって、パネルＣｐにはサステイン電圧Ｖｓが維持される。
【００５７】
エネルギー回収段階では第３スイッチＱ３がターンオンされ、残りの第１、２、４スイッチＱ１、Ｑ２、Ｑ４はターンオフされる。従って、サステイン放電時、パネルの無効電力成分が供給回収キャパシターＣｓｓにエネルギーとして回収される。このように回収されるエネルギーの経路は、パネルＣｐ−インダクター部８５の第２インダクターＬ２−第２ダイオードＤ２−第３スイッチＱ３−供給回収用キャパシターＣｓｓでなる。
【００５８】
このような過程において、第１インダクターＬ１が飽和されて供給回収用キャパシターＣｓｓの電荷（Ｃｈａｒｇｅ）が損失されたり、第２インダクターＬ２に格納されるエネルギーが相対的に増加して供給回収用キャパシターＣｓｓに静電容量より少ない量の電荷のみが回収される。このように供給回収用キャパシターＣｓｓにＶｓ／２未満のエネルギーが回収されて格納される場合に、電圧維持部１００がサステイン電圧である第４電圧（Ｖ４＝Ｖｓ）をＶｓ／２に降下させて供給回収用キャパシターＣｓｓにＶｓ／２の電圧が印加されるようにする。これによって、供給回収用キャパシターＣｓｓに印加される電圧はＶｓ／２で維持される。即ち、供給回収用キャパシターＣｓｓにエネルギーが充電される場合に常にＶｓ／２電圧のエネルギーが充電される。
【００５９】
基底電圧維持段階では第３スイッチＱ３及び第４スイッチＱ４がターンオンされ、第１、２スイッチＱ１、Ｑ２はターンオフされる。従って、パネルＣｐに印加される電圧はグラウンドレベル（ＧＮＤ）になる。
【００６０】
＜実施形態２＞
図８は、本発明の第２実施形態におけるプラズマディスプレイ装置の回路図である。図８に示されたように、本発明の第２実施形態におけるプラズマディスプレイ装置は、第１実施形態と比べてインダクター部８５´が異なっている。
【００６１】
即ち、図７の第１実施形態ではインダクター部８５が相互に異なる大きさのインダクタンスを有する第１インダクターＬ１と第２インダクターＬ２とを含む。このとき、第１インダクターＬ１はエネルギー供給経路に含まれ、第２インダクターＬ２はエネルギー回収経路に含まれる。
【００６２】
一方、第２実施形態のインダクター部８５´は第３インダクターＬ３と第４インダクターＬ４とを含む。このとき、第４インダクターＬ４はエネルギー供給経路に含まれ、第４インダクターＬ４と第３インダクターＬ３はエネルギー回収経路に含まれる。従って、エネルギー回収過程で共振に係るインダクタンスは第３インダクタンスと第４インダクタンスの和である。
【００６３】
このような第４インダクターＬ４の一端は第１ダイオードＤ１のカソード端と連結され、第４インダクターＬ４の他端はパネルＣｐの電極ＥＬＤと連結される。又、第３インダクターＬ３の一端は第２ダイオードＤ２のアノード端と連結され、第３インダクターＬ３の他端は第４インダクターＬ４の一端と連結される。
【００６４】
このような本発明の第２実施形態の動作は次のようである。
【００６５】
エネルギー供給段階では、エネルギー供給制御部１０１の第１スイッチＱ１がターンオンされ、残りの第２スイッチ乃至第４スイッチＱ２、Ｑ３、Ｑ４は全てターンオフされる。よって、エネルギー供給回収部１００の供給回収用キャパシターＣｓｓに格納されていたエネルギーがパネルＣｐに供給される。エネルギーが供給される経路は、供給回収用キャパシターＣｓｓから第１スイッチＱ１−第１ダイオードＤ１−インダクター部８５´の第４インダクターＬ４−パネルＣｐでなる。
【００６６】
サステイン電圧維持段階では第１スイッチＱ１及び第２スイッチＱ２がターンオンされ、残りの第３スイッチＱ３及び第４スイッチＱ４はターンオフされる。これにより、パネルＣｐにはサステイン電圧Ｖｓが維持される。
【００６７】
エネルギー回収段階では、エネルギー回収制御部１０４の第３スイッチＱ３がターンオンされ、残りの第１、２、４スイッチＱ１、Ｑ２、Ｑ４はターンオフされる。従って、サステイン放電時、パネルの無効電力成分が供給回収キャパシターＣｓｓにエネルギーとして回収される。このように回収されるエネルギーの経路は、パネルＣｐ−インダクター部８５´の第４インダクターＬ４−インダクター部８５´の第３インダクターＬ３−第２ダイオードＤ２−第３スイッチＱ３−供給回収用キャパシターＣｓｓでなる。
【００６８】
このような過程で第４インダクターＬ４が飽和されて供給回収用キャパシターＣｓｓの電荷（Ｃｈａｒｇｅ）が損失されたり、第４インダクターＬ４と第３インダクターＬ３に格納されるエネルギーが相対的に増加して供給回収用キャパシターＣｓｓに静電容量より少ない量の電荷のみが回収される。このように供給回収用キャパシターＣｓｓにＶｓ／２未満のエネルギーが回収されて格納される場合に、電圧維持部１０６がサステイン電圧である第４電圧（Ｖ４＝Ｖｓ）をＶｓ／２に降下させて供給回収用キャパシターＣｓｓにＶｓ／２の電圧が印加されるようにする。これにより、供給回収用キャパシターＣｓｓに印加される電圧はＶｓ／２で維持される。即ち、供給回収用キャパシターＣｓｓにエネルギーが充電される場合に常にＶｓ／２電圧のエネルギーが充電される。
【００６９】
基底電圧維持段階では第３スイッチＱ３及び第４スイッチＱ４がターンオンされ、第１、２スイッチＱ１、Ｑ２はターンオフされる。従って、パネルＣｐに印加される電圧はグラウンドレベル（ＧＮＤ）になる。
【００７０】
図９は、本発明におけるプラズマディスプレイ装置の駆動波形図である。図９に示されたように、本発明におけるプラズマディスプレイ装置は、エネルギー供給及びエネルギー回収のスイチング時間が相互に異なり、各エネルギー供給経路及びエネルギー回収経路のインダクタンスが相互に異なる場合でも供給回収用キャパシターＣｓｓに印加される第１電圧Ｖ１がＶｓ／２で一定に維持される。
【図面の簡単な説明】
【００７１】
【図１】従来のプラズマディスプレイパネルの画像階調を表現する方法を示した図である。
【図２】従来のエネルギー回収回路の一例を示した図である。
【図３】従来のエネルギー回収回路によって形成されるパルスの波形図である。
【図４】従来のエネルギー回収回路の他の一例を示した図である。
【図５】従来のエネルギー回収回路の他の一例を示した図である。
【図６】図４及び図５に示された従来のエネルギー回収回路によって形成されるパルスの波形図である。
【図７】本発明の第１実施形態におけるプラズマディスプレイ装置の回路図である。
【図８】本発明の第２実施形態におけるプラズマディスプレイ装置の回路図である。
【図９】本発明におけるプラズマディスプレイ装置の駆動波形図である。
【図２】
2006079091.tif 000003
【図３】
2006079091.tif 000004
【図６】
2006079091.tif 000005
【図９】
2006079091.tif 000006
【図１】
2006079091.tif 000007
【図４】
2006079091.tif 000008
【図５】
2006079091.tif 000009
【図７】
2006079091.tif 000010
【図８】
2006079091.tif 000011